(57)【要約】      （修正有）【課題】  暗い所でも内容物を認識できかつ趣のある反射光を発生させるための発光体を有する容器の提供。【解決手段】  液体Ｗを収容する透光性材料で形成された容体部４とその蓋部とで構成される瓶状の容器３の改良において、蓋部１０の頂部１１に上方に延びる第１の筒部１２が設けられ、その第１の筒部１２の内孔１３の下部に透光性材料で形成された第１の平板部１１が取付けられ、第１の筒部１２の内孔１３に上部が封じられた第２の筒部１５が嵌め込まれ、その第２の筒部１５の底部に透光性材料で形成された第２の平板部１８が取付けられ、第２の筒部１５の内孔１６の上下方向の中央部近傍に発光体２０が取付けられている。【選択図】図１
2006225020.tif 000002
【特許請求の範囲】
【請求項１】
液体を収容する透光性材料で形成された容体部とその蓋部とで構成される瓶状の容器の改良において、前記蓋部の頂部に上方に延びる第１の筒部が設けられ、その第１の筒部の内孔の下部に透光性材料で形成された第１の平板部が取付けられ、前記第１の筒部の内孔に上部が封じられた第２の筒部が嵌め込まれ、その第２の筒部の底部に透光性材料で形成された第２の平板部が取付けられ、第２の筒部の内孔に発光体が取付けられていることを特徴とする容器の改良。
【請求項２】
液体を収容する透光性材料で形成された容体部とその蓋部とで構成される瓶状の容器の改良において、前記蓋部の頂部に透光性材料で形成された第１の平板部が取付けられ、前記蓋部を包囲して鍔なし帽子状の筒部が設けられ、筒部の内孔に透光性材料で形成された第２の平板部が取付けられ、筒部の内孔の第２の平板部と筒部の頂部との間に発光体が取付けられていることを特徴とする容器の改良。
【請求項３】
液体を収容する透光性材料で形成された容体部とその蓋部とで構成される瓶状の容器の改良において、前記蓋部は透光性材料で形成され、前記蓋部の頂部に上方に延びる筒部が設けられ、その筒部の内孔の下部に透光性材料で形成された第１の平板部が取付けられ、前記筒部の内孔の上部に透光性材料で形成された第２の平板部が取付けられ、筒部の内孔に発光体が取付けられ、その筒部の内部に透光性材料で形成された環状の環部が取付けられていることを特徴とする容器の改良。
【請求項４】
液体を収容する透光性材料で形成された容体部とその蓋部とで構成される瓶状の容器の改良において、前記蓋部の頂部の上方に上部が封じられた筒状部が設けられ、前記頂部に光ファイバー及び／あるいは光学的ビジュアル効果素材を内蔵した筒状の光棒体が下方に延在して取付けられ、前記筒状部の内部に発光体が取付けられていることを特徴とする容器の改良。
【請求項５】
液体を収容する透光性材料で形成された容体部とその蓋部とで構成される瓶状の容器の改良において、前記蓋部の頂部の上方に上部が封じられた筒状部が偏心して設けられ、筒状部の底部に透光性材料で形成された平板部が設けられ、前記筒状部の内部に発光体が取付けら、前記頂部に着脱自在にストローが取付けられていることを特徴とする容器の改良。
【請求項６】
液体を収容する透光性材料で形成された容体部とその蓋部とで構成される瓶状の容器の改良において、前記蓋部の開放側に容体部と螺合する内ねじを有する第1の穴部が設けられ、第1の穴部の反開放側端部に第1の穴部より小径の第２の穴部が蓋部の閉塞側に向かって形成され、第２の穴部に発光体が取付けられ、第２の穴部の開放側端部に透光性材料で形成された平板部が取付けられ、前記容体部の筒部の適宜の個所に光反射機能を有するシールが貼着され、容体部の下方に椀状の皿部が着脱自在に設けられ、皿部の底面に光反射機能を有する部位が設けられていることを特徴とする容器の改良。
【請求項７】
液体を収容する透光性材料で形成された容体部とその蓋部とで構成される瓶状の容器の改良において、前記蓋部の頂部に光ファイバーが挿入されたストローが着脱自在に取付けられ、容体部の底部に容体部よりも透光性の大きな透光性材料で形成された第１の平板部が設けられ、前記容体部の下方に椀状の皿部が着脱自在に設けられ、皿部の底部に第１の平板部に対応する位置に凹部が形成され、凹部の上部に第１の平板部と同等の透光性を有する第２の平板部が設けられ、凹部の内部に発光体が取付けられていることを特徴とする容器の改良。
【請求項８】
液体を収容する透光性材料で形成された容体部とその蓋部とで構成される瓶状の容器の改良において、前記蓋部は透光性材料で形成され、前記容体部に透光性材料で形成された筒状体が軸直角方向に取付けられ、筒状体の端部に端部が封じられた筒部が取付けられ、筒部の内部に発光体が取付けられ、筒部の筒状体側に偏光性を有する偏光板が取付けられ、前記液体に人畜無害で光反射性を有する反射体を混入していることを特徴とする容器の改良。
【請求項９】
液体を収容する透光性材料で形成された容体部とその蓋部とで構成される瓶状の容器の改良において、前記蓋部の頂部に上方に延びる筒部が設けられ、その筒部の内孔の下部に透光性材料で形成された平板部が取付けられ、前記筒部の内孔に発光体が取付けられ、上記筒部の側方から前記平板部を貫通するストローが容体部内に達して取付けられ、ストローにドーナッツ型フロートの内径が遊嵌めされていることを特徴とする容器の改良。
【請求項１０】
液体を収容する缶状の容器の改良において、前記缶容器の上部に着脱自在に蓋状体が設けられ、蓋状体は下部に缶容器の上部外径に嵌着する内径を備えた第１の穴部と、第１の穴部の端部に連結する第１の穴部より小径の第２の穴部と、第２の穴部の端部に透光性材料で形成された平板部を介して透光的に連結する第２の穴部より小径の第３の穴部とを設けて形成され、前記第３の穴部に発光体が取付けられ、前記第１の穴部に表面に任意の像を蛍光性塗料で塗布された平板が取付けられ、前記第２の穴部と第１の穴部を外側から貫通しさらに平板を貫通して缶容器の内部に達するストローが取付けられていることを特徴とする容器の改良。
【発明の詳細な説明】
【技術分野】
【０００１】
本発明は、ジュース等の液体を収容する容体部とその蓋部とで構成される瓶状の容器の改良及び液体を収容する缶状の容器の改良に関する。
【背景技術】
【０００２】
従来、ジュースなどの液体飲料を収容するペットボトル等の容器は収容物である飲料等を収容するだけの目的で使用されていて、ほとんどはその収容物が消費されるとともに廃棄されていた。
また、上記の容器は暗いコンサートホールや野外の暗闇では、飲料の残分の確認が出来ない不便があった。また、認識しない残分を有するボトルを放置する場合に残分が周囲に放散して着衣を汚す、あるいは床や地面を汚すという不具合があった。
【０００３】
容器に関する従来の技術としてはスウィング・ストッパの取付けおよび取外しを容易に行う密閉容器が開示されている（例えば、特許文献１参照）。
また、開けたキャップの保持場所が確保されたキャップ付き飲料容器が開示されている（例えば、特許文献２参照）。
その他、樽詰め飲料の検査方法及び装置の技術が開示されている（例えば、特許文献３参照）。
【特許文献１】特開平１０−２４５０５８号公報
【特許文献２】特開２００１−９７３８９号公報
【特許文献３】特開２０００−１６８７４９号公報
【発明の開示】
【発明が解決しようとする課題】
【０００４】
本発明は上述した従来技術の問題点に鑑みて提案されたものであり、暗い所でも内容物を認識できかつ趣のある反射光を発生させるための発光体を有する容器用キャップ（蓋部）の提供を第１の目的とし、容器に発光体を取付けて趣のある反射光を発生させる容器の提供を第２の目的とし、容器の底部から趣のある反射光を発生させる台皿部（ボトルホールダ）の提供を第３の目的とし、缶状容器の上部から趣のある反射光を発光させるためのキャップ（蓋部）の提供を第４の目的としている。
【課題を解決するための手段】
【０００５】
発明者は種々研究の結果、キャップ其の他に色のある光を小消費電気量で発生できる発光ダイオード（ＬＥＤ）を取付けることにより、ジュース等の液体の残量を認識できる趣のある反射光を発生できることがわかった。本発明は係る知見により創作されたものである。
【０００６】
本発明の容器の改良によれば、液体Ｗを収容する透光性材料で形成された容体部４とその蓋部とで構成される瓶状の容器３の改良において、前記蓋部１０の頂部１１に上方に延びる第１の筒部１２が設けられ、その第１の筒部１２の内孔１３の下部に透光性材料で形成された第１の平板部１４が取付けられ、前記第１の筒部１２の内孔１３に上部が封じられた第２の筒部１５が嵌め込まれ、その第２の筒部１５の底部に透光性材料で形成された第２の平板部１８が取付けられ、第２の筒部１５の内孔１６に発光体２０が取付けられている。
【０００７】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
第２の平板部は透光板でも、光束を収束あるいは発散させるレンズでもよく、着色されたものでもよい。
【０００８】
本発明の容器の改良によれば、液体Ｗを収容する透光性材料で形成された容体部４とその蓋部とで構成される瓶状の容器の改良において、前記蓋部１０Ａの頂部１１Ａに透光性材料で形成された第１の平板部１４ａが取付けられ、前記蓋部１０Ａを包囲して鍔なし帽子状の筒部１５Ａが設けられ、筒部１５Ａの内孔１６ａの上下方向の中央部近傍に透光性材料で形成された第２の平板部１８ａが取付けられ、筒部１５Ａの内孔１６ａの第２の平板部１８ａと筒部１５Ａの頂部１７Ａとの間に発光体２０が取付けられている。
【０００９】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
【００１０】
本発明の容器の改良によれば、液体Ｗを収容する透光性材料で形成された容体部４とその蓋部とで構成される瓶状の容器の改良において、前記蓋部１０Ｂは透光性材料で形成され、前記蓋部１０Ｂの頂部１１Ｂに上方に延びる筒部１５Ｂが設けられ、その筒部１５Ｂの内孔１３Ｂの下部に透光性材料で形成された第１の平板部１４ｂが取付けられ、前記筒部１５Ｂの内孔１３Ｂの上部に透光性材料で形成された第２の平板部１７Ｂが取付けられ、筒部１５Ｂの内孔１３Ｂに発光体２０が取付けられ、その筒部１５Ｂの上下方向の中央部近傍に透光性材料で形成された環状の環部１６が取付けられている。
【００１１】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
【００１２】
本発明の容器の改良によれば、液体Ｗを収容する透光性材料で形成された容体部４とその蓋部とで構成される瓶状の容器の改良において、前記蓋部１０Ｃの頂部１１Ｃの上方に上部が封じられた筒状部１５Ｃが設けられ、前記頂部１１Ｃに光ファイバー及び／あるいは光学的ビジュアル効果素材を内蔵した筒状の光棒体２２が下方に延在して取付けられ、前記筒状部１５Ｃの内部に発光体２０が取付けられている。
【００１３】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
また、光ファイバー及び／あるいは光学的ビジュアル効果素材を内蔵した筒状の光棒体は、公知の光ファイバーと光学的ビジュアル効果素材の単独使用あるいは併用したものがよく、光学的ビジュアル効果素材は公知の蛍光物等でよい。
【００１４】
本発明の容器の改良によれば、液体Ｗを収容する透光性材料で形成された容体部４とその蓋部とで構成される瓶状の容器の改良において、前記蓋部１０Ｄの頂部１１Ｄの上方に上部が封じられた筒状部１５Ｄが偏心して設けられ、筒状部１５Ｄの底部に透光性材料で形成された平板部１４ｄが設けられ、前記筒状部１５Ｄの内部に発光体２０が取付けられ、前記頂部１１Ｄに着脱自在にストローが取付けられている。
【００１５】
実施に際しては、筒状部の偏心はストローの取付けが邪魔にならない程度でよい。
発光体は任意の発光色を選択できかつ小容量電池の使用が可能な発光ダイオード（ＬＥＤ）が好ましい。しかし、電源の不要な蛍石や、蛍光材を使用してもよい。
【００１６】
本発明の容器の改良によれば、液体Ｗを収容する透光性材料で形成された容体部４Ａとその蓋部とで構成される瓶状の容器の改良において、前記蓋部１０Ｅの開放側に容体部４Ａと螺合する内ねじを有する第1の穴部１１ａが設けられ、第1の穴部１１ａの反開放側端部に第1の穴部１１ａより小径の第２の穴部１１ｂが蓋部１０Ｅの閉塞側に向かって形成され、第２の穴部１１ｂに発光体２０が取付けられ、第２の穴部１１ｂの開放側端部に透光性材料で形成された平板部１１ｅが取付けれら、前記容体部４Ａの筒部４Ａａの適宜の個所に光反射機能を有するシールＭが貼着され、容体部４Ａの底部下方に椀状の皿部２５が着脱自在に設けられ、皿部２５の底面に光反射機能を有する部位２６が設けられている。
【００１７】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
皿部の底面に光反射機能を有する部位とは鏡面や蛍光面を言う。
【００１８】
本発明の容器の改良によれば、液体Ｗを収容する透光性材料で形成された容体部４Ａとその蓋部とで構成される瓶状の容器の改良において、前記蓋部１０Ｆの頂部１１Ｆに光ファイバーが挿入されたストローＳｆが着脱自在に取付けられ、透光性材料で形成された容体部４Ａの底部に容体部４Ａよりも透光性の大きな透光性材料で形成された第１の平板部３１が設けられ、前記容体部４Ａの下方に椀状の皿部２５Ａが着脱自在に設けられ、皿部２５Ａの底部に第１の平板部３１に対応する位置に凹部２７が形成され、凹部２７の上部に第１の平板部３１と同等の透光性を有する第２の平板部３１が設けられ、凹部２７の内部に発光体２０が取付けられている。
【００１９】
実施に際しては発光体は任意の発光色を選択できかつ小容量電池の使用が可能な発光ダイオード（ＬＥＤ）が好ましい。しかし、電源の不要な蛍石や、蛍光材を使用してもよい。
【００２０】
本発明の容器の改良によれば、液体Ｗを収容する透光性材料で形成された容体部４Ｂとその蓋部１とで構成される瓶状の容器の改良において、前記蓋部１は透光性材料で形成され、前記容体部４Ｂに透光性材料で形成された筒状体２８が軸直角方向に取付けられ、筒状体２８の端部２８ｅに端部が封じられた筒部３１が取付けられ、筒部３１の内部３２に発光体２０が取付けられ、筒部３１の筒状体２８側に偏光性を有する偏光板３４が取付けられ、前記液体Ｗに人畜無害で光反射性を有する反射体Ｒｗを混入している。
【００２１】
実施に際しては発光体は任意の発光色を選択できかつ小容量電池の使用が可能な発光ダイオード（ＬＥＤ）が好ましい。しかし、電源の不要な蛍石や、蛍光材を使用してもよい。
【００２２】
本発明の容器の改良によれば、液体Ｗを収容する透光性材料で形成された容体部４Ｃとその蓋部とで構成される瓶状の容器の改良において、前記蓋部１０Ｇの頂部１１Ｇに上方に延びる筒部１５Ｇが設けられ、その筒部１５Ｇの内孔１３Ｇの下部に透光性材料で形成された平板部１４ｇが取付けられ、前記筒部１５Ｇの内孔１３Ｇに発光体２０が取付けられ、上記筒部１５Ｇの側方から前記平板部１４ｇを貫通するストローＳが容体部４Ｃ内に達して取付けられ、ストローＳにドーナッツ型フロート４５の内径が遊嵌めされている。
【００２３】
本発明の容器の改良によれば、液体Ｗを収容する缶状の容器の改良において、前記缶容器４４の上部に着脱自在に蓋状体５０が設けられ、蓋状体５０は下部に缶容器４４の上部外径に嵌着する内径を備えた第１の穴部５２ａと、第１の穴部５２ａの端部に連結する第１の穴部５２ａより小径の第２の穴部５２ｂと、第２の穴部５２ｂの端部に透光性材料で形成された平板部６１を介して透光的に連結する第２の穴部５２ｂより小径の第３の穴部５６とを設けて形成され、前記第３の穴部５６に発光体２０が取付けられ、前記第１の穴部５２ａに表面に任意の像を蛍光性塗料で塗布された平板５８が取付けられ、前記第２の穴部５２ｂと第１の穴部５２ａを外側から貫通してさらに平板５８を貫通して缶容器４４の内部に達するストローＳが取付けられている。
【００２４】
実施に際しては、発光体は任意の発光色を選択できかつ小容量電池の使用が可能な発光ダイオード（ＬＥＤ）が好ましい。しかし、電源の不要な蛍石や、蛍光材を使用してもよい。
任意の像を蛍光性塗料で塗布された平板とは例えばキャラクターマークや自己の名前等を書いたものを言う。
【発明の効果】
【００２５】
以上説明した本発明の効果を列記する。
（１）  蓋部に発光体を取付けているので、発光体による光が瓶の容器内に放射されジュース等の液面に反射して残量が暗部でも容易に認識できる利点がある。
（２）  発光体にＬＥＤを使用すれば、例えばボタン電池等の使用が可能で任意の色を選定できて趣のある反射光を容器外に発光できる利点がある。また、ＬＥＤとボタン電池の使用によって小スペースに取付け可能でかつコストが少ない利点がある。
（３）  発光体に蛍光石、蛍光剤等を使用すれば、電源を使用する必要のない利点がある。
（４）  透光板をレンズにして光を収束あるいは拡散させれば、反射光の方向を自由にでき、さらに着色レンズにすれば、ＬＥＤの発光色と合成できて、自在な色の反射光を得ることができる利点がある。
【００２６】
（５）  本発明の蓋部は、容器の内容物が空になったら別の容器に再利用が可能な利点がある。
（６）  容器の内容物が空になったら水を入れれば、アクセサリーとして利用できる利点がある。
【００２７】
（７）  蓋部にストローを着脱自在に取付ければ、飲料等の吸引につれて反射光の方向等が変化して趣きがある利点がある。
（８）  蓋部に光ファイバー及び／あるいは光学的ビジュアル効果素材を内蔵した筒状の光棒体を下方に延在させれば、放光域が広がり、任意の色調を多様に反射させることができる利点がある。
（９）  蓋部に光ファイバー入りのストローを取付ければ、ストローの上部から反射光が放散されてストローに趣を添え、かつ暗闇でもストローの所在が容易に認識できる利点がある。
（１０）  容器に光反射機能を有するシールを貼着させれば、液面の変化に加えて反射のバラエティーが増える利点がある。
【００２８】
（１１）  容器の下方に椀状の皿部を設け、皿部の底面に光反射機能を有するキャラクター画面や個人名等をつければ、固有のアクセサリーとなる利点があり、かつ、誤って他人のジュース等を飲んでしまうという失敗を防止できる。
（１２）  容器の下方に椀状の皿部を設け、皿部に発光体を取付ければ、容器の下方からの発光が入光されて変わった趣きがある利点がある。
【００２９】
（１３）  容器に収容する液体に光反射性を有する無害の反射体例えば金粉等を混入させ、かつ容器の軸直角方向（横方向）に透光性材料で形成された横方向の筒状体を取付け、この中に発光体からの光を放射させれば、筒状体の方向に光が進行するとも液体内の反射体に反射してランダムな方向の光がでて趣をだす利点がある。
（１４）  容器に収容する液体に光反射性を有するフロートを浮遊させれば、液面からの反射と相俟って趣のある反射光をだす利点がある。
【００３０】
（１５）  缶状の容器の上部に透光性材料で形成された蓋状体を着脱自在に設け、蓋状体の上部の発光体から下方に取付けた蛍光性塗料で塗布された平板に発光させれば、不透光性材料による缶状容器でも蓋状体を通して反射光が容器外方に放光される利点がある。
【発明を実施するための最良の形態】
【００３１】
以下、図を参照して本発明の実施形態を説明する。
図１は本発明の瓶状の容器の改良の第１実施形態を示す全体構成の断面図である。
ジュース等の飲料の液体Ｗが収容された透光性材料で形成された瓶状の容体部４の上部に頚部６が形成され、図においては、頚部６の外ねじ７に蓋部１０がねじ止めで締結固定されて容器３が構成されている。締結はねじでなく嵌め合いであってもよい。
【００３２】
蓋部１０に、通常の蓋の天部にあたる頂部１１に上方に延びる第１の筒部１２が設けられている。その第１の筒部１２の内穴１３の下部に透光性材料で形成された第１の平板部１４が取付けられている。第１の平板部１４は光が収束するレンズでも発散するレンズであってもよく、容器４の色あるいは液体Ｗの色に調和するものが好ましい。
【００３３】
第1の筒部１２の内孔１３に、第１の筒部１２より上方に突き出て上部が閉塞されて封じられた第２の筒部１５が、底部が第１の平板部１４に近接してやや固めに嵌め込まれている。第２の筒部１５は透光性材料で形成されているが、蛍光性でもあるいは不透光性でもよい。
第２の筒部１５の内穴１６の底部に第２の平板部１８が取付けられ、第１の平板部１４に近接して配置されている。第２の平板部１８は光が収束するレンズでも発散するレンズであってもよい。
【００３４】
第２の筒部１５の内孔１６の軸心近傍でかつ上下方向の中央部近傍に発光体２０が取付けられている
発光体２０は発光ダイオードがよく、図においては詳記していないが、２本の導線が内孔１６の壁面に固着されたボタン電池に連結されている。発光ダイオードの発色は任意であるが、容器４、第1、第２の平板部１４、１８に調和するものが好ましい。
【００３５】
なお、発光ダイオードにかえて発光性は劣るが電源不要の蛍石や蛍光部材を使用してもよい。
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００３６】
上記構成の瓶状の容器３の作用を、図１を参照して説明する。
ジュース等の液体Ｗが液面レベルＬまで収納された容体部４に、第２の筒部１５の内孔１６に取付けられた発光体２０が発光して１部は第２の筒部１５を透光して外上方向に放光し、他は第２及び第１の平板１８、１４を透光して容体部４内に入光する。
【００３７】
容体部４内に入光した発光体２０の光は液面Ｌで反射して容体部４の外部に放光して液面Ｌの高さ位置を外部から認識可能にする。特に薄暗い場所あるいは暗闇で、液面の高さが容易に認識できる。さらに容器３を振って液面を傾斜させれば、反射光が移動して認識が一層容易になる。
【００３８】
なお、第２の筒部１５が蛍光性であれば、外上方向に蛍光色が放光されて容器３の全体を認識させ、不透光性であれば容体部４の外部に放光してもっぱら液体の残量の認識に利用される。
【００３９】
液体Ｗが消費されて容体部４が空になった場合は、蓋部１０を外して別の容器３に取付ければ、前記同様に作用をして再使用ができる。
【００４０】
発光体２０が電源を要する発光ダイオードでなく、蛍石あるいは蛍光物であれば蛍光色に限定されるが、不可視光線から暗闇でも例えば赤外線等を受光して発光ができる。
【００４１】
図２は本発明の瓶状の容器の改良の第２実施形態を示す全体構成の断面図である。
ジュース等の飲料の液体Ｗが収容された透光性材料で形成された瓶状の容体部４の上部に頚部６が形成され、図においては、頚部６の外ねじ７に蓋部１０Ａがねじ止めで締結固定されて容器３が構成されている。締結はねじでなく嵌め合いであってもよい。
【００４２】
蓋部１０Ａに、通常の蓋の天部にあたる頂部１１Ａに透光性材料で形成された第１の平板部１４ａが取付けられている。
第１の平板部１４ａは光が収束するレンズでも発散するレンズであってもよく、容器４の色あるいは液体の色に調和するものが好ましい。
【００４３】
その蓋部１０Ａを包囲して鍔なし帽子状の筒部１５Ａが着脱が容易な隙間をおいて設けられ、筒部１５Ａの内孔１６ａの軸心近傍でかつ上下方向の中央部近傍に透光性材料で形成された第２の平板部１８ａが頂部１１Ａに適宜の距離をおいて取付けられている。
第１の平板部１８ａは光が収束するレンズでも発散するレンズであってもよい。
【００４４】
筒部１５Ａの内孔１６ａに取付けられた第２の平板部１８ａと筒部１５Ａの頂部１７Ａとの間に発光体２０が取付けられている。
【００４５】
発光体２０は発光ダイオードがよく、図においては詳記していないが、２本の導線が内孔１６ａの壁面に固着されたボタン電池に連結されている。発光ダイオードの発色は任意であるが、容器４、第1、第２の平板部１４ａ、１８ａに調和するものが好ましい。
なお、発光ダイオードにかえて発光性は劣るが電源不要の蛍石や蛍光部材を使用してもよい。
【００４６】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００４７】
上記構成の瓶状の容器３Ａの作用を、図２を参照して説明する。
ジュース等の液体Ｗが液面レベルＬまで収納された容体部４に、筒部１５Ａの内孔１６ａに取付けられた発光体２０が発光して第２及び第１の平板部１８ａ、１４ａを透光して容体部４内に入光する。
【００４８】
容体部４内に入光した発光体２０の光は液面Ｌで反射して容体部４の外部に放光して液面Ｌの高さ位置を外部から認識可能にする。特に薄暗い場所あるいは暗闇で、液面の高さが容易に認識できる。さらに容器３Ａを振って液面Ｌを傾斜させれば、反射光が移動して認識が一層容易になる。
【００４９】
なお、液体Ｗが消費されて容体部４が空になった場合は、蓋部１０を外して別の容器に取付ければ、前記同様に作用をして再使用ができる。
【００５０】
発光体２０が電源を要する発光ダイオードでなく、蛍石あるいは蛍光物であれば蛍光色に限定されるが、不可視光線から例えば赤外線等を受光して発光ができる。
【００５１】
図３は本発明の瓶状の容器の改良の第３実施形態を示す全体構成の断面図である。
ジュース等の飲料の液体Ｗが収容された透光性材料で形成された瓶状の容体部４の上部に頚部６が形成され、図においては、頚部６の外ねじ７に蓋部１０Ｂがねじ止めで締結固定されて容器３Ｂが構成されている。締結はねじでなく嵌め合いであってもよい。
【００５２】
蓋部１０Ｂは透光性材料で形成されていて、蓋部１０Ｂの通常の蓋の天部にあたる頂部１１Ｂに上方に延びる筒部１５Ｂが設けられている。
その筒部１５Ｂの内孔１３Ｂの下部の頂部１１Ｂとほぼ同じ高さ位置に透光性材料で形成された第１の平板部１４ｂが取付けられている。
第１の平板部１４ａは光が収束するレンズでも発散するレンズであってもよく、容器４の色あるいは液体の色に調和するものが好ましい。
【００５３】
筒部１５Ｂの内孔１３Ｂの頂上部に透光性材料で形成された第２の平板部１７Ｂが取付けられ、その筒部１５Ｂの内孔１３Ｂの軸心近傍でかつ上下方向の中央部近傍に発光体２０が取付けられている。
また、筒部１５Ｂの上下方向の中央部近傍かつ発光体２０とほぼ同じ高さ位置に透光性材料で形成された環状の環部１６が取付けられている。
【００５４】
発光体２０は発光ダイオードがよく、図においては詳記していないが、２本の導線が内孔１３Ｂの壁面に固着されたボタン電池に連結されている。発光ダイオードの発色は任意であるが、容器４、第1、第２の平板部１４ｂ、１７Ｂに調和するものが好ましい。
なお、発光ダイオードにかえて発光性は劣るが電源不要の蛍石や蛍光部材を使用してもよい。
【００５５】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００５６】
上記構成の瓶状の容器３Ｂの作用を、図３を参照して説明する。
ジュース等の液体Ｗが液面レベルＬまで収納された容体部４に、筒部１５Ｂの内孔１３Ｂに取付けられた発光体２０が発光して１部は第２の平板部１７Ｂを透光して外上部方向に放光する。また、他の１部は透光性の環部１６を透光して水平外部方向に放光し、光の他部は第１の平板部１４ｂを透光して容体部４内に入光する。
【００５７】
容体部４内に入光した発光体２０の光は液面Ｌで反射して容体部４の外部に放光して液面Ｌの高さ位置を外部から認識可能にする。特に薄暗い場所あるいは暗闇で、液面Ｌの高さが容易に認識できる。さらに容器３Ｂを振って液面Ｌを傾斜させれば、反射光が移動して認識が一層容易になる。
【００５８】
上記のようにして、発光体２０からの光は、単に液体の残量を認識させるのみでなく、容器３Ａに光のアクセサリー機能を付与する。
【００５９】
なお、液体Ｗが消費されて容体部４が空になった場合は、蓋部１０Ｂを外して別の容器に取付ければ、前記同様に作用をして再使用ができる。
【００６０】
発光体２０が電源を要する発光ダイオードでなく、蛍石あるいは蛍光物であれば蛍光色に限定されるが、不可視光線から例えば紫外線等を受光して発光ができる。
【００６１】
図４は本発明の瓶状の容器の改良の第４実施形態を示す全体構成の断面図である。
ジュース等の飲料の液体Ｗが収容された透光性材料で形成された瓶状の容体部４の上部に頚部６が形成され、図においては、頚部６の外ねじ７に蓋部１０Ｃがねじ止めで締結固定されて容器３Ｃが構成されている。締結はねじでなく嵌め合いであってもよい。
【００６２】
蓋部１０Ｃの通常の蓋の天部にあたる頂部１１Ｃの上方に上部が封じられた筒状部１５Ｃが設けられ、頂部１１Ｃに公知の光ファイバー及び／あるいは公知の例えば蛍石、蛍光材等の光学的ビジュアル効果素材を内蔵した筒状の光棒体２２が下方に延在して取付けられている。
【００６３】
筒部１５Ｃの内孔１３Ｃの軸心近傍でかつ上下方向の中央部近傍に発光体２０が取付けられている。
【００６４】
発光体２０は発光ダイオードがよく、図においては詳記していないが、２本の導線が内孔１３Ｃの壁面に固着されたボタン電池に連結されている。発光ダイオードの発色は任意であるが、容器４、光棒体２２に調和するものが好ましい。
なお、発光ダイオードにかえて発光性は劣るが電源不要の蛍石や蛍光部材を使用してもよい。
【００６５】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００６６】
上記構成の瓶状の容器３Ｃの作用を、図４を参照して説明する。
ジュース等の液体Ｗが液面レベルＬまで収納された容体部４に、筒部１５Ｃの内孔１３Ｃに取付けられた発光体２０が発光して光棒体２２に入光し、光棒体２２の内部から透光して容体部４内に入光する。
【００６７】
容体部４内に入光した発光体２０の光は液面Ｌの上部と下部とで濃度が異なる色調を容体部４の外部に放光し、液面Ｌの高さ位置を外部から認識可能にする。特に薄暗い場所あるいは暗闇で、液面の高さが容易に認識できる。さらに容器３Ｃを振って液面Ｌを傾斜させれば、反射光が移動して認識が一層容易になる。
【００６８】
また、発光体２０からの光は、単に液体の残量を認識させるのみでなく、容器３Ｃに光のアクセサリー機能を付与する。
【００６９】
なお、液体Ｗが消費されて容体部４が空になった場合は、蓋部１０Ｃを外して別の容器に取付ければ、前記同様に作用をして再使用ができる。
【００７０】
発光体２０が電源を要する発光ダイオードでなく、蛍石あるいは蛍光物であれば蛍光色に限定されるが、不可視光線から例えば赤外線等を受光して発光ができる。
【００７１】
図５は本発明の瓶状の容器の改良の第５実施形態を示す全体構成の断面と作用を示す図である。
ジュース等の飲料の液体Ｗが収容された透光性材料で形成された瓶状の容体部４の上部に頚部６が形成され、図においては、頚部６の外ねじ７に蓋部１０Ｄがねじ止めで締結固定されて容器３Ｄが構成されている。締結はねじでなく嵌め合いであってもよい。
【００７２】
蓋部１０Ｄの通常の蓋の天部にあたる頂部１１Ｄに軸心に偏心した位置に上方に延びる筒部１５Ｄが設けられている。
筒状部１５Ｄの内孔１３Ｄの底部の頂部１１Ｄとほぼ同じ高さ位置に透光性材料で形成された平板部１４ｄが設けられ、筒状部１５Ｄの軸心近傍でかつ上下方向の中央部近傍に発光体２０が取付けられている。
【００７３】
発光体２０は発光ダイオードがよく、図においては詳記していないが、２本の導線が内孔１３Ｂの壁面に固着されたボタン電池に連結されている。発光ダイオードの発色は任意であるが、容器４、平板部１４ｄに調和するものが好ましい。
なお、発光ダイオードにかえて発光性は劣るが電源不要の蛍石や蛍光部材を使用してもよい。
【００７４】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００７５】
平板部１４ｄは光が収束するレンズでも発散するレンズであってもよく、容器４の色あるいは液体の色に調和するものが好ましい。
頂部１１Ｄに着脱自在にストローＳが取付けられている。
【００７６】
上記構成の瓶状の容器３Ｄの作用を、図５を参照して説明する。
ジュース等の液体Ｗが液面レベルＬまで収納された容体部４に、筒部１５Ｄの内孔１３Ｂに取付けられた発光体２０が発光して平板部１４ｄを透光して容体部４内に入光する。
【００７７】
容体部４内に入光した発光体２０の光はストローＳで吸引されて変動した液面Ｌで反射する。そして低下する液面Ｌからの反射光が容体部４の外部に発光して液面Ｌの高さ位置を外部から認識可能にする。特に薄暗い場所あるいは暗闇で、液面の高さが容易に認識できる。さらに容器３Ｄを振って液面を傾斜させれば、反射光が移動して認識が一層容易になる。
【００７８】
上記のように、発光体２０からの光は、単に液体の残量を認識させるのみでなく、ストローＳで吸引されて変化する液面の反射光によって容器３Ｄに光のアクセサリー機能を付与する。
【００７９】
なお、液体Ｗが消費されて容体部４が空になった場合は、蓋部１０Ｄを外して別の容器に取付ければ、前記同様に作用をして再使用ができる。
【００８０】
発光体２０が電源を要する発光ダイオードでなく、蛍石あるいは蛍光物であれば蛍光色に限定されるが、不可視光線から例えば赤外線等を受光して発光ができる。
【００８１】
図６は本発明の瓶状の容器の改良の第６実施形態を示す全体構成の断面と作用を示す図である。
ジュース等の飲料の液体Ｗが収容された透光性材料で形成された瓶状の容体部４Ａの上部に蓋部１０Ｅがねじ止めで締結固定されて容器３Ｅが構成されている。締結はねじでなく嵌め合いであってもよい。
【００８２】
蓋部１０Ｅの開放側に容体部４Ａと螺合する内ねじを有する第1の穴部１１ａが設けられ、第1の穴部１１ａの反開放側端部に第1の穴部１１ａより小径の第２の穴部１１ｂが蓋部１０Ｅの閉塞側に向かって形成されている。
【００８３】
第２の穴部１１ｂの底部の通常の蓋の天部にあたる部位に透光性材料で形成された平板部１１ｅが設けられている。平板部１１ｅは光が収束するレンズでも発散するレンズであってもよく、容器４Ａの色あるいは液体の色等に調和するものが好ましい。
第２の穴部１１ｂに穴心近傍でかつ上下方向の中央部近傍に発光体２０が取付けられている。
【００８４】
発光体２０は発光ダイオードがよく、図においては詳記していないが、２本の導線が内孔１１ｂの壁面に固着されたボタン電池に連結されている。発光ダイオードの発色は任意であるが、容器４Ａ、平板部１１ｅ、後記するシールＭ１、Ｍ２等に調和するものが好ましい。
なお、発光ダイオードにかえて発光性は劣るが電源不要の蛍石や蛍光部材を使用してもよい。
【００８５】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００８６】
容体部４Ａの筒部４Ａａの適宜の個所に光反射機能を有する複数のシールＭ１、Ｍ２・・が貼着されている。シールＭ１、Ｍ２・・は任意の色で任意の形状でよい。
【００８７】
容体部（４Ａ）の底部下方に椀状の皿部２５が着脱自在に設けられ、皿部２５の底面に光反射機能を有する鏡面や蛍光面の部位２６が設けられ、部位２６が底面全面であっても１部域の例えばキャラクター画面や自己の名前等を記入した面でもよい。
【００８８】
上記構成の瓶状の容器３Ｅの作用を、図６を参照して説明する。
ジュース等の液体Ｗが液面レベルＬまで収納された容体部４Ａに、蓋部１０Ｅの穴部１１ａに取付けられた発光体２０が発光して平板部１１ｅを透光して容体部４Ａ内に入光する。
【００８９】
容体部４Ａ内に入光した光は矢印のように液面Ｌに反射して液体の残量を認識させ、シールＭ１、Ｍ２・・にあたって模様を浮かびあがらせる。また、皿部２５の底面にあたって全面あるいは特定の部位２６のキャラクター画面や個人名等を反射させる。
アクセサリーとしての利用等の作用については、前記実施形態と実質的に同様である。
【００９０】
図７は本発明の瓶状の容器の改良の第７実施形態を示す全体構成の断面と作用を示す図である。
ジュース等の飲料の液体Ｗが収容された透光性材料で形成された瓶状の容体部４Ａの上部に蓋部１０Ｆがねじ止めで締結固定されて容器３Ｆが構成されている。締結はねじでなく嵌め合いであってもよい。
【００９１】
蓋部１０Ｆの頂部１１Ｆに光ファイバーが挿入されたストローＳｆが着脱自在に取付けられ、透光性材料で形成された容体部４Ａの底部に容体部４Ａよりも透光性の大きな透光性材料で形成された第１の平板部３１が設けられている。
【００９２】
容体部４Ａの下方に椀状の皿部２５Ａが着脱自在に設けられ、皿部２５Ａの底部に第１の平板部３１に対応する位置に凹部２７が形成されている。
【００９３】
凹部２７の上部に第１の平板部３１と同等の透光性を有する第２の平板部２８が設けられている。
第１、第２の平板部３１，２８は光が収束するレンズでも発散するレンズであってもよく、容器４Ａの色あるいは液体の色等に調和するものが好ましい。
【００９４】
凹部２７の内部に穴心近傍でかつ上下方向の中央部近傍に発光体２０が取付けられている。
【００９５】
発光体２０は発光ダイオードがよく、図においては詳記していないが、２本の導線が凹部２７の内壁面に固着されたボタン電池に連結されている。発光ダイオードの発色は任意であるが、容器４Ａ、第１、第２の平板部３１、２８等に調和するものが好ましい。
なお、発光ダイオードにかえて発光性は劣るが電源不要の蛍石や蛍光部材を使用してもよい。
【００９６】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【００９７】
上記構成の瓶状の容器３Ｆの作用を、図７を参照して説明する。
ジュース等の液体Ｗが液面レベルＬまで収納された容体部４Ａに、皿部２５Ａの凹部２７に取付けられた発光体２０が発光して第２、第１の平板部２８、３１を透光して容体部４Ａ内に入光する。
【００９８】
容体部４Ａ内に入光した光は矢印のように液面Ｌに反射して液体の残量を認識させ、容体部４Ａの内壁を透光あるいは反射して減光し様々な態様で外部に発散する。
また、１部は光ファイバーが挿入されたストローＳｆを通って外部に放光する。
アクセサリーとしての利用等の作用については、前記各実施形態と実質的に同様である。
【００９９】
図８は本発明の瓶状の容器の改良の第８実施形態を示す全体構成の断面と作用を示す図である。
ジュース等の飲料の液体Ｗが収容された透光性材料で形成された瓶状の容体部４Ｂの上部に透光性材料で形成された蓋部１がねじ止めで締結固定されて容器３Ｇが構成されている。
【０１００】
液体Ｗに例えば金泊などの人畜無害な反射物Ｒｗが混入されている。
透光性材料で任意に着色されて形成された筒状体２８が容体部４Ｂの軸心に対して直角方向に取付けられている。
筒状体２８の端部２８ｅに端部が封じられた筒部３１がほぼ同心に取付けられていて、
筒部３１の筒状体２８側の端部に偏光性を有する偏光板３４が取付けられている。
【０１０１】
筒部３１の内部３２に穴心近傍でかつ左右方向の中央部近傍に発光体２０が取付けられている。
【０１０２】
発光体２０は発光ダイオードがよく、図においては詳記していないが、２本の導線が内部３２の壁面に固着されたボタン電池に連結されている。発光ダイオードの発色は任意であるが、容器３Ｇ、偏光板３４等に調和するものが好ましい。
なお、発光ダイオードにかえて発光性は劣るが電源不要の蛍石や蛍光部材を使用してもよい。
【０１０３】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【０１０４】
上記構成の瓶状の容器３Ｇの作用を、図８を参照して説明する。
金泊など反射物Ｒｗが混入されたジュース等の液体Ｗが液面レベルＬまで収納された容体部４Ｂに、筒部３１の内部３２に取付けられた発光体２０が発光して偏光板３４を透光して筒状体２８内に入光する。
【０１０５】
筒状体２８内に入光された光の１部は筒状体２８を直進して容体部４Ｂから外部に放光され、他の光は筒状体２８の壁面と液体Ｗを通って液面Ｌに反射して外部に放光して液体の残量を認識させる。また、液体Ｗに混入された金泊などの反射物Ｒｗに反射して燦光を外部に放光する。
【０１０６】
筒状体２８内に入光された光の１部はまた、透光性材料で形成された蓋部１を透光して外部に放光される。
このようにして、各経路を経た光は各種の反射光となって外部に散光される。
アクセサリーへの利用等の作用については、前記各実施形態と実質的に同様である。
【０１０７】
図９は本発明の瓶状の容器の改良の第９実施形態を示す全体構成の断面と作用を示す図である。
ジュース等の飲料の液体Ｗが収容された透光性材料で形成された瓶状の容体部４Ｃの上部に蓋部１０Ｇがねじ止めで締結固定されて容器３Ｈが構成されている。締結はねじでなく嵌め合いであってもよい。
【０１０８】
蓋部１０Ｇの通常の蓋の天部にあたる頂部１１Ｇに上方に延びる筒部１５Ｇが設けられている。
その筒部１５Ｇの内孔１３Ｇの下部に頂部１１Ｇと同じ高さ位置に透光性材料で形成された平板部１４ｇが取付けられている。
筒部１５Ｇの内孔１３Ｇに後記するストローＳに干渉しない上部位置の孔心近傍に発光体（２０）が取付けられている。
【０１０９】
発光体２０は発光ダイオードがよく、図においては詳記していないが、２本の導線が内孔１３Ｇの壁面に固着されたボタン電池に連結されている。発光ダイオードの発色は任意であるが、容器３Ｇ、平板部１４ｇや後記するフロート４５等に調和するものが好ましい。
なお、発光ダイオードにかえて発光性は劣るが電源不要の蛍石や蛍光部材を使用してもよい。
【０１１０】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【０１１１】
筒部１５Ｇの側方から平板部１４ｇを貫通するストローＳが容体部４Ｃ内に達して取付けられ、ストローＳに光反射性材あるいは蛍光発生材で形成されたドーナッツ型フロート４５の内径が遊嵌めされていて液面Ｌの高さおよび揺れにしたがって上下に浮遊するように構成されている。
【０１１２】
上記構成の瓶状の容器の作用を、図９を参照して説明する。
ジュース等の液体Ｗが液面レベルＬまで収納された容体部４Ｃに、筒部１５Ｇの内孔１３Ｇに取付けられた発光体２０が発光して平板部１４ｇを透光して容体部４Ｃ内に入光する。
【０１１３】
容体部４Ｃ内に入光した発光体２０の光はストローＳで吸引されて変動した液面Ｌ及びフロート４５で反射する。そして変動する液面からの反射光が容体部４Ｃの外部に放光するとともにフロート４５での反射光と相俟って液面Ｌの高さ位置を外部から認識可能にする。特に薄暗い場所あるいは暗闇で、液面の高さが容易に認識できる。  
また、容体部４Ｃの壁面に反射して容体部４Ｃの全体から反射光を放光させる。
アクセサリーへの利用等の作用については、前記各実施形態と実質的に同様である。
【０１１４】
図１０は本発明の缶状の容器の改良の第１０実施形態を示す全体構成の断面図である。
ジュース等の飲料の液体が収容された例えば鉄、アルミ、紙等の不透光性材料で形成された缶容器４４の上部に蓋状部５０が着脱自在に嵌合されて容器４Ｊが構成されている。
【０１１５】
蓋状体５０は下部に缶容器４４の上部外径に嵌着する内径を備えた第１の穴部５２ａと、と、第２の穴部５２ｂと第３の穴部５６とを設けて透光性材で形成されている。
第１の穴部５２ａの端部に連結する第２の穴部５２ｂは第１の穴部５２ａはより小径であり、第２の穴部５２ｂの端部に透光性材料で形成された平板部６１を介して透光的に連結する第３の穴部５６は第２の穴部５２ｂより小径に形成されている。
【０１１６】
第３の穴部５６に穴心近傍でかつ中央部近傍の高さに発光体２０が取付けられている。
【０１１７】
発光体２０は発光ダイオードがよく、図においては詳記していないが、２本の導線が穴部５６の壁面に固着されたボタン電池に連結されている。発光ダイオードの発色は任意であるが、後記する平板部６１、平板５８、缶色等に調和するものが好ましい。
なお、発光ダイオードにかえて発光性は劣るが電源不要の蛍石や蛍光部材を使用してもよい。
【０１１８】
ボタン電池の容量は発光時間を勘案して決定すればよいが、通常は発光ダイオードの消費電力がきわめて少ないので市販の最小のものでよい。また、ボタン電池に限定することなく装着スペースがあれば、一般の乾電池でもよい。
【０１１９】
平板部６１は光が収束するレンズでも発散するレンズであってもよく、また着色されたものでもよい。
平板５８は例えばキャラクター画像等の任意の像５８ａを反射、発光する蛍光性塗料で塗布されている。
蓋状体５０の第２の穴部５２ｂと第１の穴部５２ａを外側から貫通してさらに平板５８を貫通して缶容器４４の内部に達するストローＳが取付けられている。
【０１２０】
上記構成の瓶状の容器４Ｊの作用を、図１０を参照して説明する。
蓋状体５０の第３の穴部５６に取付けられた発光体２０が発光して平板部６１を透光して第２の穴部５２ｂ、第１の穴部５２ａに入光する。
【０１２１】
第２の穴部５２ｂ、第１の穴部５２ａに入光された発光体２０の光は平板５８に反射してキャラクター像等の任意の像５８ａを反射して、蓋状体５０から外部に放光し、暗闇での缶容器４４とストローＳの所在を認識させる。
【０１２２】
このようにして、発光、反射機能を有する蓋状体５０を缶容器４４に取付ければ、缶容器４４とストローＳの所在が暗闇でも容易に認識できる。
アクセサリーへの利用、再利用等については、前記各実施形態と実質的に同様である。
【図面の簡単な説明】
【０１２３】
【図１】本発明の第１実施形態を示す全体構成の断面図である。
【図２】第２実施形態を示す全体構成の断面図である。
【図３】第３実施形態を示す全体構成の断面図である。
【図４】第４実施形態を示す全体構成の断面図である。
【図５】第５実施形態を示す全体構成の断面図である。
【図６】第６実施形態を示す全体構成の断面と作用を示す図である。
【図７】第７実施形態を示す全体構成の断面と作用を示す図である。
【図８】第８実施形態を示す全体構成の断面と作用を示す図である。
【図９】第９実施形態を示す全体構成の断面と作用を示す図である。
【図１０】第１０実施形態を示す全体構成の断面図である。
【符号の説明】
【０１２４】
Ｗ・・・液体、ジュース
３・・・容器  
４・・・容体部  
１０・・・蓋部、キャップ
１１・・・頂部
１２・・・第１の筒部
１３・・・内孔
１４・・・第１の平板部
１５・・・第２の筒部
１６・・・内孔
１８・・・第２の平板部
２０・・・発光体
【図１】
2006225020.tif 000003
【図２】
2006225020.tif 000004
【図３】
2006225020.tif 000005
【図４】
2006225020.tif 000006
【図５】
2006225020.tif 000007
【図６】
2006225020.tif 000008
【図７】
2006225020.tif 000009
【図８】
2006225020.tif 000010
【図９】
2006225020.tif 000011
【図１０】
2006225020.tif 000012